(57)【特許請求の範囲】
【請求項１】
表裏面及び側面を有する略円板形状の硬貨が円周方向に回転し、それぞれ異なる直径を有する複数の前記硬貨が転がるべき転がり方向と、
該転がり方向に沿って延びる転がり空間と、
該転がり空間の上方を覆う天板、下方に配された底板、右側又は左側のいずれかを覆う傾倒側板、該傾倒側板とは反対側の左側又は右側を覆う滑り側板と、
前記転がり方向に対して前記天板の上流側近傍を貫通して形成された前記硬貨の投入口と、
前記転がり方向に対して前記投入口と同一又は下流側に配され、前記傾倒側板を貫通して形成された傾倒落下口と、
前記転がり方向に対して前記傾倒落下口よりも下流側に配されて前記滑り側板を貫通し、下縁が前記底板まで延びている滑り落下口と、
該滑り落下口に対向する位置に配されて前記傾倒側板を貫通し、前記転がり方向に対して下流側に配された引っ掛け側縁及び前記傾倒落下口の上縁よりも高い位置に配された上縁を有する引っ掛け孔と、
該引っ掛け孔の下縁から前記底板まで延びて前記傾倒側板の一部として形成されている腰壁部とを備えたことを特徴とする硬貨仕分け器。
【請求項２】
前記傾倒落下口、滑り落下口及び引っ掛け孔で一つの仕分けユニットを形成し、
該仕分けユニットは前記転がり方向に沿って複数形成され、
隣り合う前記仕分けユニットにて、前記転がり方向に対して下流側に位置する前記傾倒落下口の上縁は、上流側に位置する前記引っ掛け孔の上縁よりも高い位置に配されていることを特徴とする請求項１に記載の硬貨仕分け器。
【請求項３】
前記底板には、前記傾倒側板に接しながら前記転がり方向に沿って延びているガイド材が突出して形成されていることを特徴とする請求項１又は２に記載の硬貨仕分け器。
【請求項４】
前記投入口は、前記天板に対して前記滑り側板側に形成されていることを特徴とする請求項１〜３のいずれかに記載の硬貨仕分け器。
【請求項５】
前記傾倒側板及び前記滑り側板の外方に前記硬貨を収容するための収容スペースを有し、
前記収容スペースは前記底板から延びる仕切り板によって前記転がり方向に沿って仕切られていて、
前記仕切り板は前記底板よりも幅が狭いことを特徴とする請求項１〜４のいずれかに記載の硬貨仕分け器を用いた財布。
【請求項６】
前記収容スペースの底部には、前記仕切り板が嵌め込まれる受容部が形成されていることを特徴とする請求項５に記載の財布。
【発明の詳細な説明】
【技術分野】
【０００１】
本発明は硬貨仕分け器及びこれを用いた財布に関するものである。
【背景技術】
【０００２】
硬貨には種類がいくつかあり、例えば日本では１円玉、５円玉、１０円玉、５０円玉、１００円玉、５００円玉の６種類が利用されている。通常財布に備わっている小銭入れや、あるいは小銭のみを入れるためのコインケース単体は、その収容スペースが一つである。このため、これら異なる種類の硬貨は全て同一の収容スペースに収められる。財布の小銭入れやコインケースとして、複数の収容スペースを備えているものがある。この場合、硬貨をその種類ごとに分けて収容できるが、その仕分け作業は各自がそれぞれ手動で行う必要がある。このような作業を店舗等でおつりをもらったときに行うことは時間的に困難であり、実際には複数の収容スペースが小銭入れにあったとしても効果的に利用されていないのが現状である。
【０００３】
そこで、硬貨を自動的に仕分けてそれぞれ別の収容スペースに収めるものが開発されている（例えば特許文献１〜３参照）。しかしながら、特許文献１〜３のいずれにおいても、自動的に仕分けするためには、財布自体を全て交換する必要がある。したがって、現在使用している財布を使いながらその財布に自動仕分け機能を付加することはできない。また、特許文献１のようにそれぞれの硬貨の大きさに注目して落下する孔の孔径を調整しながら仕分けするものでは、硬貨の落下方向は必ず一方向（下方向）である。つまり、硬貨を左右方向に振り分けて仕分けることができないので、財布等に適用すると、全ての硬貨を仕分けるためには財布がかなり大型化してしまい、財布としての実用性を損ねてしまう。また、特許文献２においては、紙幣と硬貨を仕分ける目的が主であり、２つの硬貨収納部に硬貨を仕分けるためには、結局最初の段階で２つの紙幣収納部のそれぞれに手動で仕分けて硬貨を投入する必要がある。また、特許文献３は硬貨を種類ごとに収納することができるが、硬貨投入口がその種類ごとに異なるため、自動的に硬貨を仕分けるという効果を奏するものではない。
【先行技術文献】
【特許文献】
【０００４】
【特許文献１】特開２００６−１５８９２５号公報
【特許文献２】特開２００６−３４０８８３号公報
【特許文献３】特開２００９−１３６６８９号公報
【発明の概要】
【発明が解決しようとする課題】
【０００５】
本発明は、上記従来技術を考慮したものであり、それ単体で硬貨仕分けの機能を有するので従来の財布に後付けでき、仕分けた硬貨を多方向に落下させることができるのでスペースを有効活用でき、全ての硬貨を一つの投入口に投入しても自動的に仕分けることができる硬貨仕分け器及びこれを用いた財布を提供することを目的とする。
【課題を解決するための手段】
【０００６】
前記目的を達成するため、本発明では、表裏面及び側面を有する略円板形状の硬貨が円周方向に回転し、それぞれ異なる直径を有する複数の前記硬貨が転がるべき転がり方向と、該転がり方向に沿って延びる転がり空間と、該転がり空間の上方を覆う天板、下方に配された底板、右側又は左側のいずれかを覆う傾倒側板、該傾倒側板とは反対側の左側又は右側を覆う滑り側板と、前記転がり方向に対して前記天板の上流側近傍を貫通して形成された前記硬貨の投入口と、前記転がり方向に対して前記投入口と同一又は下流側に配され、前記傾倒側板を貫通して形成された傾倒落下口と、前記転がり方向に対して前記傾倒落下口よりも下流側に配されて前記滑り側板を貫通し、下縁が前記底板まで延びている滑り落下口と、該滑り落下口に対向する位置に配されて前記傾倒側板を貫通し、前記転がり方向に対して下流側に配された引っ掛け側縁及び前記傾倒落下口の上縁よりも高い位置に配された上縁を有する引っ掛け孔と、該引っ掛け孔の下縁から前記底板まで延びて前記傾倒側板の一部として形成されている腰壁部とを備えたことを特徴とする硬貨仕分け器を提供する。
【０００７】
好ましくは、前記傾倒落下口、滑り落下口及び引っ掛け孔で一つの仕分けユニットを形成し、該仕分けユニットは前記転がり方向に沿って複数形成され、隣り合う前記仕分けユニットにて、前記転がり方向に対して下流側に位置する前記傾倒落下口の上縁は、上流側に位置する前記引っ掛け孔の上縁よりも高い位置に配されている。
【０００８】
好ましくは、前記底板には、前記傾倒側板に接しながら前記転がり方向に沿って延びているガイド材が突出して形成されている。
【０００９】
好ましくは、前記投入口は、前記天板に対して前記滑り側板側に形成されている。
【００１０】
また、本発明では、前記傾倒側板及び前記滑り側板の外方に前記硬貨を収容するための収容スペースを有し、前記収容スペースは前記底板から延びる仕切り板によって前記転がり方向に沿って仕切られていて、前記仕切り板は前記底板よりも幅が狭いことを特徴とする硬貨仕分け器を用いた財布を提供する。
【００１１】
好ましくは、前記収容スペースの底部には、前記仕切り板が嵌め込まれる受容部が形成されている。
【発明の効果】
【００１２】
本発明によれば、投入口から投入された硬貨は、転がり方向の下流側を下に向けることで転がり空間を円周方向に回転しながら転がっていく。このとき、さらに傾倒側板を下に向けることで、転がり空間内の硬貨はその上縁が傾倒側板に接しながら転がる。転がっている硬貨の上縁が傾倒落下口の上縁以内であれば、その硬貨は傾倒落下口から落下する。転がっている硬貨の上縁が傾倒落下口の上縁よりも高い位置にあるときは、その硬貨は傾倒落下口から落下せず、そのまま転がり空間を転がり方向に沿って進む。そして転がっている硬貨の上縁が引っ掛け孔の上縁以内であれば、硬貨の側面は引っ掛け孔の引っ掛け側縁に当接して回転を妨げられ、そのまま滑り落下口から落下する。したがって、転がり空間に対して径の異なる硬貨を転がすことで、転がり方向に対して左右両側に分別して仕分けることができる。これにより、単体で硬貨仕分けの機能を有するので従来の財布に後付けでき、仕分けた硬貨を多方向（左右方向）に落下させることができるのでスペースを有効活用できる。また、径の異なる全ての硬貨を一つの投入口に投入して自動的にこれら硬貨を仕分けることができる。
【００１３】
また、硬貨が滑り落下口から落下する際、引っ掛け孔の下部には腰壁部が形成されているので、硬貨が傾倒側板側に落下することはない。このため、確実に径の異なる硬貨を傾倒側板側、滑り側板側に仕分けして落下させることができる。
【００１４】
また、仕分けユニットを複数設けることで、径の異なる硬貨の数に合わせてそれぞれの硬貨ごとに仕分けることが可能となる。
【００１５】
また、底板にガイド材を設けることで、硬貨は転がり空間内で上縁を傾倒側板に接しながら傾いて転がることになり、転がりをスムーズに行うことができる。さらに転がり最中に硬貨がこのように傾いていることで、傾倒落下口から落下しやすくなり、さらに引っ掛け側縁にも引っかかりやすくなるので仕分けに際する確実性が向上する。
【００１６】
また、投入口が天板の滑り側板側に形成されていることで、傾倒落下口が転がり方向に対して投入口と同一位置にある場合に、投入直後に硬貨が傾倒落下口に引っかかってしまうことを防止できる。
【００１７】
さらに本発明では、仕切り板を設けて財布に適用することで、仕分けられた硬貨が財布の収容スペース内で底板の下側に入り込み、そこに収めることができるので財布が膨らむことを防止できる。また、財布を閉じた状態でも、硬貨は底板の下側に収められているので、硬貨が傾倒落下口又は滑り落下口に戻ってしまうことを防止できる。
【００１８】
また、財布に形成された硬貨の収容スペースに受容部を設けることで、硬貨仕分け器を迅速に取り付けることができるので、従来使用している財布に対して硬貨仕分け器を取り付けて使用することができる。
【図面の簡単な説明】
【００１９】
【図１】本発明に係る硬貨仕分け器の概略斜視図である。
【図２】本発明に係る硬貨仕分け器の正面図である。
【図３】本発明に係る硬貨仕分け器の右側面図である。
【図４】本発明に係る硬貨仕分け器の左側面図である。
【図５】本発明に係る硬貨仕分け器の平面図である。
【図６】本発明に係る硬貨仕分け器の底面図である。
【図７】図５のＡ−Ａ断面図である。
【図８】硬貨が転がり空間内を転がっている状態を示す概略図である。
【図９】硬貨が傾倒落下口から落下する状態を示す概略図である。
【図１０】硬貨が傾倒落下口を通過する状態を示す概略図である。
【図１１】硬貨が引っ掛け側縁に当接したときの状態を示す概略図である。
【図１２】硬貨が滑り落下口から落下する状態を示す概略図である。
【図１３】投入口近傍の断面図である。
【図１４】本発明に係る財布の概略図である。
【図１５】財布の概略図である。
【図１６】財布の概略断面図である。
【図１７】切欠き部を設けた硬貨仕分け器の概略図である。
【図１８】切欠き部を用いて複数の硬貨を投入するときの説明図である。
【発明を実施するための形態】
【００２０】
図１〜図７に示すように、本発明に係る硬貨仕分け器１は、その内部に硬貨が転がるべき転がり空間２を有している。この転がり空間２は、表裏面及び側面を有する略円板形状の硬貨が円周方向に回転しながら転がっていく空間である。この転がり空間２の大きさは、転がすべき硬貨の直径に合わせて適宜設計される。例えば、日本では１円玉、５円玉、１０円玉、５０円玉、１００円玉、５００円玉の６種類の硬貨があるが、このうち一番直径の大きな５００円玉が転がる程度の幅及び高さを有するように形成される。このように、転がり空間２はそれぞれ異なる直径を有する複数の硬貨が転がることが前提となっている。
【００２１】
この転がり空間２は、硬貨が転がる転がり方向Ｄに沿って延びている。すなわち、硬貨は転がり空間２内を一方向に転がり、硬貨仕分け器１によれば硬貨は転がり方向Ｄに沿って転がり空間２内を転がっている間にその種類ごとに仕分けされる。硬貨を一方向に転がすため、転がり空間２は各板によって覆われ、硬貨はこれらの板によりガイドされる。転がり空間２の上方は、天板３によって覆われている。転がり空間２の下方には、底板４が配されている。転がり空間２の右側は、傾倒側板５で覆われている。転がり空間２の左側は、滑り側板６で覆われている。なお、傾倒側板５及び滑り側板６はそれぞれが対向した位置に配されていれば左右を逆にして配してもよい。
【００２２】
転がり方向Ｄに対して天板３の上流側近傍には、投入口７が天板３を貫通して形成されている。この投入口７は、転がり空間２内に硬貨を投入するためのものである。投入口７から投入された硬貨は、転がり空間２内を転がり方向Ｄに沿って転がっていく。傾倒側板５には、複数の（この例では３つの）傾倒落下口８が形成されている。この傾倒落下口８は、転がり方向Ｄに対して投入口７と同一の位置や下流側の位置に配されている。なお、傾倒落下口８は傾倒側板５を貫通して形成されている。また、滑り側板６には、複数の（この例では３つの）滑り落下口９が形成されている。この滑り落下口９は、転がり方向Ｄに対して傾倒落下口８よりも下流側に配されている。なお、滑り落下口９は滑り側板６を貫通して形成されている。また、滑り落下口９はその下縁が底板４まで延びている。
【００２３】
傾倒側板５には、滑り落下口９に対向する位置に引っ掛け孔１０が設けられている。この引っ掛け孔１０は傾倒側板５を貫通して形成されている。また、この引っ掛け孔１０の転がり方向に対して下流側の縁は引っ掛け側縁１１として機能する。引っ掛け孔１０の上縁は、転がり方向Ｄに対して上流側の傾倒落下口８の上縁よりも高い位置になるように形成されている。引っ掛け孔１０の下縁から下側は、傾倒側板５の一部として腰壁部１２が形成されている。すなわち、腰壁部１２は引っ掛け孔１０の下縁から底板４まで延びている。
【００２４】
硬貨の種類が２種類（異なる径の硬貨）の場合、傾倒落下口８、滑り落下口９及び引っ掛け孔１０がそれぞれ一つずつで異なる径の硬貨ごとに仕分けることができる。すなわち、傾倒落下口８、滑り落下口９及び引っ掛け孔１０がそれぞれ一つずつで一つの仕分けユニットとして形成される。この例のように６種類の硬貨の場合、仕分けユニットを３つ転がり方向Ｄに沿って並べればよい。このように仕分けユニットを並べた場合、転がり方向Ｄに対して下流側に位置する傾倒落下口８の上縁は、上流側に位置する引っ掛け孔１０の上縁よりも高い位置となるように形成される。これにより、傾倒側板５を見ると、傾倒落下口８と引っ掛け孔１０とが交互に転がり方向Ｄに沿って並べられていて、転がり方向Ｄの下流側に行くにつれてその上縁は徐々に高くなっていく。
【００２５】
投入口７から投入された硬貨は、転がり方向Ｄの下流側を下に向けることで転がり空間２内をその円周方向に回転しながら転がっていく。このとき、さらに傾倒側板５を下に向ける（傾倒側板５が下になるように傾ける）ことで、図８に示すように、転がり空間２内の硬貨Ｃはその上縁が傾倒側板５に接しながら転がることになる。硬貨Ｃが傾倒落下口８がある位置まで到達し、そのとき転がっている硬貨Ｃの上縁が傾倒落下口８の上縁以内であれば、その硬貨Ｃは傾倒落下口８から落下する（図９の状態）。このとき硬貨は、上縁から外方に落下するように、硬貨Ｃ全体でいえば矢印Ｌ方向に傾倒するようにして落下する。転がっている硬貨Ｃの上縁が傾倒落下口８の上縁よりも高い位置にあるときは、その硬貨Ｃは傾倒落下口８から落下せず、そのまま転がり空間２を転がり方向に沿って進む（図１０の状態）。
【００２６】
硬貨Ｃが引っ掛け孔１０がある位置まで到達し、そのとき転がっている硬貨Ｃの上縁が引っ掛け孔１０の上縁以内であれば、まずは硬貨Ｃの転がり方向の側面（上縁側）が引っ掛け孔１０から外方に飛び出し、硬貨Ｃの側面は引っ掛け側縁１１に当接して回転を妨げられる。すなわち、硬貨Ｃの転がりはストップする（図１１の状態）。そうすると硬貨Ｃの重みにより、硬貨Ｃの上縁側は引っ掛け孔１０内を下方向に移動する。これに伴い、硬貨Ｃの下縁側は滑り側板６の外方に押し出される。このとき、滑り落下口９はその下縁が底板４まで到達しているので、硬貨Ｃの下縁側はそのまま滑り落下口９の外側に出て、その重みにより落下する（図１２の状態）。このとき、滑り落下口９から硬貨Ｃが落下する際、引っ掛け孔１０の下部には腰壁部１２が形成されているので、硬貨Ｃがそのまま引っ掛け孔１０の外方に傾倒して傾倒側板５側に落下することはない。このため、確実に径の異なる硬貨を傾倒側板側、滑り側板側の両側に仕分けして落下させることができる。
【００２７】
このように、どの傾倒落下口８から落下するか、あるいはどの滑り落下口９から落下するかは、硬貨Ｃの上縁の位置により変わる。すなわち、硬貨Ｃの径により変わる。上述したように、傾倒側板５に対して転がり方向Ｄに沿って並べられている傾倒落下口８と引っ掛け孔１０の上縁は徐々に高くなっていくので、径の小さい順に硬貨Ｃは落下していく。したがって、転がり空間２に対して径の異なる硬貨Ｃを転がすことで、転がり方向Ｄに対して硬貨仕分け器１の左右両側に分別して仕分けることができる。併せて、傾倒落下口８、滑り落下口９及び引っ掛け孔１０からなる仕分けユニットを並べることで、転がり方向Ｄに対して前後方向に硬貨Ｃを分別して仕分けることもできる。これにより、硬貨仕分け器１は、それ単体で硬貨仕分けの機能を有するので従来の財布に後付けでき、仕分けた硬貨Ｃを多方向（左右方向及び前後方向）に落下させることができる。このため財布内のスペースを有効活用できる。また、径の異なる全ての硬貨Ｃを一つの投入口７に投入して自動的にこれら硬貨Ｃを仕分けることができる。また、仕分けユニットを複数設けることで、径の異なる硬貨Ｃの数に合わせてそれぞれの硬貨Ｃごとに仕分けることが可能となる。なお、硬貨は実際には傾いて転がっているので、傾倒落下口８及び引っ掛け孔１０の上縁の高さは必ずしも硬貨の直径と一致するものではない。ただし硬貨は同じ傾きにて転がっているので、結果的に複数種類の硬貨を径ごとに仕分けることができることになる。また本発明は、硬貨に限らず径の異なる円板の仕分けを目的とするならばどのようなものにも適用可能である。また硬貨は実際の貨幣的価値があるものに限らず、メダル等の遊戯目的のものであってもよい。
【００２８】
ここで図８を参照すれば明らかなように、底板４には、傾倒側板５に接しながら転がり方向Ｄに沿って延びているガイド材１３が突出して形成されている。このように底板４にガイド材１３を設けることで、硬貨Ｃが転がり空間２内で上縁を傾倒側板５に接しながら傾くように仕向けることができる。このため、硬貨Ｃは転がり空間２内を傾いて転がることになり、転がりがスムーズとなる。さらに転がり最中に硬貨Ｃがこのように傾いていることで、傾倒落下口８から落下しやすくなり、さらに引っ掛け側縁１１にも引っかかりやすくなるので仕分けに際する確実性が向上する。
【００２９】
また、図１３に示すように、投入口７は、天板３に対して滑り側板６側に形成されている。これにより、最初の傾倒落下口８が転がり方向Ｄに対して投入口７と同一位置にある場合（図１〜図６の例）に、硬貨の投入直後に硬貨が傾倒落下口８に引っかかってしまうことを防止できる。すなわち、硬貨は投入口７からそのまま傾倒落下口８に落下せず、底板４に接地するように仕向けられる。このとき、投入口７の下側であって傾倒側板５側には、添え材１４が形成されている。添え材１４は、天板３から投入口７の傾倒側板５側の側縁に沿って垂下されている。これにより、投入口７から投入された硬貨は確実に添え材１４によってガイドされ、底板４に接地するように仕向けられる。このように、投入口７を滑り側板６側に形成したことと相まって、添え材１４を設けることで誤って最初の傾倒落下口８に硬貨が落下してしまうことを防止できる。
【００３０】
また、同様に最初の傾倒落下口８が転がり方向Ｄに対して投入口７と同一位置にある場合（図１〜図６の例）に、当該最初の傾倒落下口８から落下すべき硬貨を確実に落下させるため、投入口７の転がり方向Ｄ奥側から垂れ材１５を垂下させて形成してもよい。この垂れ材１５は投入口７の転がり方向Ｄ奥側から垂下し、垂下するにつれて転がり方向Ｄ手前側に向けて延びている。硬貨仕分け器１は使用時は転がり方向Ｄ奥側が下側に下がっているため、硬貨は投入口７から入れられて瞬間に転がり方向Ｄに向けて転がってしまう傾向がある。しかしこのような垂れ材１５を設けることで、硬貨は若干転がり方向Ｄを戻り、確実に最初の傾倒落下口８にて仕分けられることになる。このため硬貨仕分けの確実性がさらに向上する。
【００３１】
一方で、硬貨仕分け器１は、財布１６に適用することが好ましい。適用されるべき財布１６としては、傾倒側板５及び滑り側板６の外方に硬貨を収容するための収容スペース１７を有していればよい。この収容スペース１７は底板４から下方に向けて延びる仕切り板１８によって転がり方向Ｄに沿って仕切られている（左右方向）。さらに、左右に仕切られた収容スペース１７は傾倒落下口８、滑り落下口９及び引っ掛け孔１０からなる仕分けユニットごとにそれぞれ前後方向に仕切られている。これにより、最初の傾倒落下口８から落下した硬貨は傾倒側板５側であって転がり方向Ｄの手前側の収容スペース１７ａに収容される。次の滑り落下口９から落下した硬貨は滑り側板６側であって転がり方向Ｄの手前側の収容スペース１７ｂに収容される。以降、転がり方向Ｄに対して２番目、３番目に配された仕分けユニットの傾倒落下口８から落下した硬貨は収容スペース１７ｃ、１７ｅへ、滑り落下口９から落下した硬貨は収容スペース１７ｄ、１７ｆへ収容される。例えば日本であれば、収容スペース１７ａに１円玉が、収容スペース１７ｂに５０円玉が、収容スペース１７ｃに５円玉が、収容スペース１７ｄに１００円玉が、収容スペース１７ｅに１０円玉が、収容スペース１７ｆに５００円玉が収容される。
【００３２】
このとき、仕切り板１８の幅を底板４の幅よりも狭くすることで、底板４の下側に収まり部１９が形成される。この収まり部１９を設けることで、仕分けられた硬貨が財布１６の収容スペース１７内で底板の下側である収まり部１９に入り込むことになる。硬貨は収容スペース１７内で内側に収まることになり、硬貨の収容によって財布１６が膨らむことを防止できる。また、財布を閉じた状態でも、硬貨は底板の下側である収まり部１９に収められているので、財布１６を反転（上下逆に）したとしても硬貨が傾倒落下口８又は滑り落下口９に戻ってしまうことを防止できる。このとき、収容スペース１７の底部に、仕切り板１９が嵌め込まれる受容部２０を形成しておくことが好ましい。これにより、硬貨仕分け器１を迅速に財布１６に対して取り付けることができるようになり、従来使用している財布１６に対して硬貨仕分け器１を取り付けて使用することができる。
【００３３】
また、図１７に示すように、滑り側板６を残して天板３を凹ませ、投入口７が形成される部分に切欠き部２１を設けてもよい。このとき、投入口７は滑り側板６側に沿った形で（寄って）形成される。切欠き部２１は、天板３から硬貨の下半分の形状に沿うように略円弧形状に形成されている。複数の硬貨を仕分ける場合、図１８に示すように、複数の硬貨を重ねて持ち、切欠き部２１に沿って硬貨Ｃの下半分を合わせる。そして滑り側板６に硬貨Ｃを押し当てていく（図１８の矢印Ｐ方向）ことにより硬貨Ｃは順番に投入口７から落下していく（図１８の矢印Ｆ方向）。これにより、複数の硬貨を効率的に操作性よく仕分けることができる。
【符号の説明】
【００３４】
１：硬貨仕分け器、２：転がり空間、３：天板、４：底板、５：傾倒側板、６：滑り側板、７：投入口、８：傾倒落下口、９：滑り落下口、１０：引っ掛け孔、１１：引っ掛け側縁、１２：腰壁部、１３：ガイド材、１４：添え材、１５：垂れ材、１６：財布、１７：収容スペース、１８：仕切り板、１９：収まり部、２０：受容部、２１：切欠き部、Ｃ：硬貨、Ｄ：転がり方向
【図１】
0006539219.tif 000002
【図２】
0006539219.tif 000003
【図３】
0006539219.tif 000004
【図４】
0006539219.tif 000005
【図５】
0006539219.tif 000006
【図６】
0006539219.tif 000007
【図７】
0006539219.tif 000008
【図８】
0006539219.tif 000009
【図９】
0006539219.tif 000010
【図１０】
0006539219.tif 000011
【図１１】
0006539219.tif 000012
【図１２】
0006539219.tif 000013
【図１３】
0006539219.tif 000014
【図１４】
0006539219.tif 000015
【図１５】
0006539219.tif 000016
【図１６】
0006539219.tif 000017
【図１７】
0006539219.tif 000018
【図１８】
0006539219.tif 000019